(57)【要約】【課題】アドレスの設定作業を容易にする。【解決手段】リレーのアドレスに対応付けたアドレスが個別に割り当てられた、対応するリレーを個別にオン／オフするための複数の個別スイッチ１１ａ〜１１ｄと、各個別スイッチの押下操作に応じて対応するリレーをオン／オフさせる伝送信号を出力する操作モードと、リレーのアドレスに対応付けたアドレスを各個別スイッチに設定するアドレス設定モードとの間で動作モードを切り換えるモード切替スイッチ１２と、押下操作に応じて個別スイッチに割り当てられたアドレス値を減数するアドレスデクリメントスイッチ１３と、各個別スイッチに割り当てられたアドレスを表示する液晶表示部１４ａ〜１４ｄとを備える。【選択図】図２
2009130714.tif 000002
【特許請求の範囲】
【請求項１】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致する場合、当該アドレス情報に対応するリレーを開閉する負荷制御システムに用いられる操作スイッチ配線器具であって、
前記操作スイッチとして、
前記リレーのアドレスに対応付けたアドレスが個別に割り当てられた、対応するリレーを個別にオン／オフするための複数の個別スイッチと、
押下操作に応じて前記個別スイッチに割り当てられたアドレス値を減数するアドレスデクリメントスイッチと、
各個別スイッチの押下操作に応じて対応するリレーをオン／オフさせる伝送信号を出力する操作モードと、前記リレーのアドレスに対応付けたアドレスを各個別スイッチに設定するアドレス設定モードとの間で動作モードを切り換えるモード切替スイッチとを備え、
各個別スイッチは、動作モードがアドレス設定モードである場合、押下操作に応じて対応する個別スイッチに割り当てられたアドレス値を増数するアドレスインクリメントスイッチとして機能すること
を特徴とする操作スイッチ配線器具。
【請求項２】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致する場合、当該アドレス情報に対応するリレーを開閉する負荷制御システムに用いられる操作スイッチ配線器具であって、
前記操作スイッチとして、
前記リレーのアドレスに対応付けたアドレスが個別に割り当てられた、対応するリレーを個別にオン／オフするための複数の個別スイッチと、
押下操作に応じて各個別スイッチにアドレス値を順送りで設定するアドレス順送りスイッチと、
各個別スイッチの押下操作に応じて対応するリレーをオン／オフさせる伝送信号を出力する操作モードと、前記リレーのアドレスに対応付けたアドレスを各個別スイッチに設定するアドレス設定モードとの間で動作モードを切り換えるモード切替スイッチとを備え、
各個別スイッチは、動作モードがアドレス設定モードである場合、押下操作に応じて対応する個別スイッチに割り当てられたアドレス値を増数するアドレスインクリメントスイッチとして機能すること
を特徴とする操作スイッチ配線器具。
【請求項３】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致する場合、当該アドレス情報に対応するリレーを開閉する負荷制御システムに用いられる操作スイッチ配線器具であって、
前記操作スイッチとして、
前記リレーのアドレスに対応付けたアドレスが個別に割り当てられた、対応するリレーを個別にオン／オフするための複数の個別スイッチと、
各個別スイッチの押下操作に応じて対応するリレーをオン／オフさせる伝送信号を出力する操作モードと、前記リレーのアドレスに対応付けたアドレスを各個別スイッチに設定するアドレス設定モードとの間で動作モードを切り換えるモード切替スイッチとを備え、
各個別スイッチは、動作モードがアドレス設定モードである場合、押下操作に応じて対応する個別スイッチに割り当てられたアドレス値を増数するアドレスインクリメントスイッチと、押下操作に応じて前記個別スイッチに割り当てられたアドレス値を減数するアドレスデクリメントスイッチとを有し、
前記アドレスインクリメントスイッチと前記アドレスデクリメントは、動作モードが操作モードである場合、操作スイッチのカバー部材裏面側に設けられた突起部により一体で押下操作されることを特徴とする操作スイッチ配線器具。
【発明の詳細な説明】
【技術分野】
【０００１】
本発明は、照明等の負荷を制御する負荷制御システムに用いられる操作スイッチ配線器具に関する。
【背景技術】
【０００２】
従来より、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致する場合、アドレス情報に対応するリレーを開閉する負荷制御システムに用いられる操作スイッチ配線器具が知られている（特許文献１参照）。このような操作スイッチ配線器具では、操作スイッチを構成するリレーのアドレスに対応付けたアドレスが個別に割り当てられた複数の個別スイッチを操作することにより、対応するリレーを個別にオン／オフする。
【特許文献１】特開２００７−１２４１５９号公報
【発明の開示】
【発明が解決しようとする課題】
【０００３】
従来の操作スイッチ配線器具では、個別スイッチにアドレスを設定する場合、液晶画面を見ながらアドレスインクリメントスイッチを押圧操作することにより、１，２，３，…，４０，一括オフ，一括ＯＮ，アドレスクリアの順に設定項目を切り換え、所望の設定項目が液晶画面に表示されたタイミングで押圧操作を終了することにより、各個別スイッチにアドレスを設定していた。しかしながら、このようなアドレスの設定方法によれば、設定項目は昇順の一方向に順に切り換えられるために、所望の設定項目を行き過ぎた場合には、設定項目を一周しないと所望の設定項目を設定することができず、アドレスの設定作業が不便である。
【０００４】
本発明は、上記課題を解決するためになされたものであり、その目的は、アドレスの設定作業が容易な操作スイッチ配線器具を提供することにある。
【課題を解決するための手段】
【０００５】
本発明の第１の態様に係る操作スイッチ配線器具は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致する場合、アドレス情報に対応するリレーを開閉する負荷制御システムに用いられる操作スイッチ配線器具であって、操作スイッチとして、リレーのアドレスに対応付けたアドレスが個別に割り当てられた、対応するリレーを個別にオン／オフするための複数の個別スイッチと、押下操作に応じて個別スイッチに割り当てられたアドレス値を減数するアドレスデクリメントスイッチと、各個別スイッチの押下操作に応じて対応するリレーをオン／オフさせる伝送信号を出力する操作モードと、リレーのアドレスに対応付けたアドレスを各個別スイッチに設定するアドレス設定モードとの間で動作モードを切り換えるモード切替スイッチとを備え、各個別スイッチは、動作モードがアドレス設定モードである場合、押下操作に応じて対応する個別スイッチに割り当てられたアドレス値を増数するアドレスインクリメントスイッチとして機能することを特徴とする。
【０００６】
本発明の第２の態様に係る操作スイッチ配線器具は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致する場合、アドレス情報に対応するリレーを開閉する負荷制御システムに用いられる操作スイッチ配線器具であって、操作スイッチとして、リレーのアドレスに対応付けたアドレスが個別に割り当てられた、対応するリレーを個別にオン／オフするための複数の個別スイッチと、押下操作に応じて各個別スイッチにアドレス値を順送りで設定するアドレス順送りスイッチと、各個別スイッチの押下操作に応じて対応するリレーをオン／オフさせる伝送信号を出力する操作モードと、前記リレーのアドレスに対応付けたアドレスを各個別スイッチに設定するアドレス設定モードとの間で動作モードを切り換えるモード切替スイッチとを備え、各個別スイッチは、動作モードがアドレス設定モードである場合、押下操作に応じて対応する個別スイッチに割り当てられたアドレス値を増数するアドレスインクリメントスイッチとして機能することを特徴とする。
【０００７】
本発明の第３の態様に係る操作スイッチ配線器具は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致する場合、アドレス情報に対応するリレーを開閉する負荷制御システムに用いられる操作スイッチ配線器具であって、操作スイッチとして、リレーのアドレスに対応付けたアドレスが個別に割り当てられた、対応するリレーを個別にオン／オフするための複数の個別スイッチと、各個別スイッチの押下操作に応じて対応するリレーをオン／オフさせる伝送信号を出力する操作モードと、リレーのアドレスに対応付けたアドレスを各個別スイッチに設定するアドレス設定モードとの間で動作モードを切り換えるモード切替スイッチとを備え、各個別スイッチは、動作モードがアドレス設定モードである場合、押下操作に応じて対応する個別スイッチに割り当てられたアドレス値を増数するアドレスインクリメントスイッチと、押下操作に応じて個別スイッチに割り当てられたアドレス値を減数するアドレスデクリメントスイッチとを有し、アドレスインクリメントスイッチとアドレスデクリメントは、動作モードが操作モードである場合、操作スイッチのカバー部材裏面側に設けられた突起部により一体で押下操作されることを特徴とする。
【発明の効果】
【０００８】
本発明に係る操作スイッチ配線器具によれば、アドレスの設定作業を容易にすることができる。
【発明を実施するための最良の形態】
【０００９】
以下、図面を参照して、本発明の実施形態となる操作スイッチ配線器具の構成について説明する。なお、この操作スイッチ配線器具が適用される負荷制御システムは、特開２００７−１２４１５９号公報に記載されているものと同じであるので、以下ではその説明及び図示を省略する。
【００１０】
［第１の実施形態］
本発明の第１の実施形態となる操作スイッチ配線器具１は、図１に示すように、ハンドル部材２と器体３とを一体に結合して構成され、ハンドル部材２の前面には４つの操作スイッチ２ａ〜２ｄが設けられている。器体３は、埋込型の配線器具用に規格化された一連の取付枠に３個まで装着可能な単位寸法の埋込型配線器具を短幅方向に３個並べた寸法（３個モジュール寸法）と略同じ寸法に形成されており、前面を露出させた状態で施工面に埋込配設される。
【００１１】
器体３の内部にはプリント基板１０が収納されており、プリント基板１０は、リレーのアドレスに対応付けたアドレスが個別に割り当てられた、対応するリレーを個別にオン／オフするための複数の個別スイッチ１１ａ〜１１ｄと、各個別スイッチの押下操作に応じて対応するリレーをオン／オフさせる伝送信号を出力する操作モードと、リレーのアドレスに対応付けたアドレスを各個別スイッチに設定するアドレス設定モードとの間で動作モードを切り換えるモード切替スイッチ１２と、押下操作に応じて個別スイッチに割り当てられたアドレス値を減数するアドレスデクリメントスイッチ１３と、各個別スイッチに割り当てられたアドレスを表示する液晶表示部１４ａ〜１４ｄとを備える。
【００１２】
各個別スイッチは、動作モードがアドレス設定モードである場合、押下操作に応じて対応する個別スイッチに割り当てられたアドレス値を増数するアドレスインクリメントスイッチとして機能する。操作スイッチ２ａ〜２ｄの後面の個別スイッチ１１ａ〜１１ｄに対応する位置には突起部が設けられ、操作スイッチ２ａ〜２ｄの押下操作に応じて対応する個別スイッチが押下される。
【００１３】
この操作スイッチ配線器具１を用いて各個別スイッチにアドレスを割り当てる際には、始めに施工者が、ハンドル部材２を取り外し、モード切替スイッチ１２を操作することにより動作モードをアドレス設定モードに設定する。そして液晶表示部１４ａ〜１４ｄを見ながらアドレス値を設定する個別スイッチを押下操作することにより、アドレス値を昇順に切り換えながら個別スイッチのアドレス値を所望の値に設定する。またこの時、所望のアドレス値を行き過ぎた場合には、アドレス値を設定する個別スイッチを押下操作しながらアドレスデクリメントスイッチ１３を押下操作することにより、アドレス値を降順に切り換えながら個別スイッチのアドレス値を所望の値に設定する。従ってこの操作スイッチ配線器具１によれば、アドレス設定時に所望のアドレスを行き過ぎた場合にアドレス値を一周させないと所望のアドレス値を設定することができないという不便さを解消することができる。
【００１４】
［第２の実施形態］
本発明の第２の実施形態となる操作スイッチ配線器具１は、上記第１の実施形態となる操作スイッチ配線器具１におけるアドレスデクリメントスイッチ１３が押下操作に応じて各個別スイッチにアドレス値を順送りで設定するアドレス順送りスイッチに置き換わった構成になっている。この操作スイッチ配線器具１を用いて各個別スイッチにアドレスを割り当てる際には、始めに施工者が、ハンドル部材２を取り外し、モード切替スイッチ１２を操作することにより動作モードをアドレス設定モードに設定する。そして液晶表示部１４ａ〜１４ｄを見ながらアドレス値を設定する個別スイッチを押下操作することにより、アドレス値を昇順に切り換えながら個別スイッチのアドレス値を所望の値に設定する。そして例えば個別スイッチ１１ａにアドレス値「１」を設定した後、個別スイッチ１１ｂを押下操作しながらアドレス順送りスイッチを押下操作することにより、個別スイッチ１１ｂにアドレス値「２」を設定することができる。以下同様にして、個別スイッチ１１ｃ，１１ｄに順にアドレス値「３］及びアドレス値「４」を設定することができる。これによりアドレスの設定作業を容易にすることができる。但し直上の個別スイッチに設定された項目が「一括オフ」や「一括オン」等のアドレス値以外の項目である場合はこの機能は働かず、また直上の個別スイッチに設定されたアドレス値がクリアされた場合には順送りにより設定されたアドレス値もクリアされるものとする。
【００１５】
［第３の実施形態］
本発明の第３の実施形態となる操作スイッチ配線器具１では、プリント基板１０には、リレーのアドレスに対応付けたアドレスが個別に割り当てられた、対応するリレーを個別にオン／オフするための複数の個別スイッチ２１ａ〜２１ｄと、各個別スイッチの押下操作に応じて対応するリレーをオン／オフさせる伝送信号を出力する操作モードと、リレーのアドレスに対応付けたアドレスを各個別スイッチに設定するアドレス設定モードとの間で動作モードを切り換えるモード切替スイッチ１２と、各個別スイッチに割り当てられたアドレスを表示する液晶表示部１４ａ〜１４ｄとを備える。
【００１６】
各個別スイッチは、動作モードがアドレス設定モードである場合、押下操作に応じて対応する個別スイッチに割り当てられたアドレス値を増数するアドレスインクリメントスイッチ２２ａ〜２２ｄと、押下操作に応じて個別スイッチに割り当てられたアドレス値を減数するアドレスデクリメントスイッチ２３ａ〜２３ｄとを有する。操作スイッチ２ａ〜２ｄの後面の個別スイッチ２１ａ〜２１ｄに対応する位置には図４に示すように横長形状の突起部２４ａ〜２４ｄが設けられ、アドレスインクリメントスイッチ２２ａ〜２２ｄとアドレスデクリメントスイッチ２３ａ〜２３ｄは、動作モードが操作モードである場合、突起部２４ａ〜２４ｄにより一体で押下操作される。このような構成によれば、操作スイッチ２ａ〜２ｄが操作された際、アドレスインクリメントスイッチとアドレスデクリメントスイッチのどちらかが押下操作されることにより操作を検知するので、操作スイッチの信頼性を向上させることができる。
【００１７】
この操作スイッチ配線器具１を用いて各個別スイッチにアドレスを割り当てる際には、始めに施工者が、ハンドル部材２を取り外し、モード切替スイッチ１２を操作することにより動作モードをアドレス設定モードに設定する。そして液晶表示部１４ａ〜１４ｄを見ながらアドレス値を設定するアドレスインクリメントスイッチ２２ａ〜２２ｄを押下操作することにより、アドレス値を昇順に切り換えながら個別スイッチのアドレス値を所望の値に設定する。またこの時、所望のアドレス値を行き過ぎた場合には、対応するアドレスデクリメントスイッチ２３ａ〜２３ｄを押下操作することにより、アドレス値を降順に切り換えながら個別スイッチのアドレス値を所望の値に設定する。従ってこの操作スイッチ配線器具１によれば、アドレス設定時に所望のアドレスを行き過ぎた場合にアドレス値を一周させないと所望のアドレス値を設定することができないという不便さを解消することができる。
【００１８】
以上、本発明者によってなされた発明を適用した実施の形態について説明したが、この実施の形態による本発明の開示の一部をなす記述及び図面により本発明は限定されることはない。すなわち、上記実施の形態に基づいて当業者等によりなされる他の実施の形態、実施例及び運用技術等は全て本発明の範疇に含まれる。
【図面の簡単な説明】
【００１９】
【図１】本発明の実施形態となる操作スイッチ配線器具の外観の構成を示す斜視図である。
【図２】本発明の第１の実施形態となる操作スイッチ配線器具におけるプリント基板の構成を示す平面図である。
【図３】本発明の第３の実施形態となる操作スイッチ配線器具におけるプリント基板の構成を示す平面図である。
【図４】本発明の第３の実施形態となる操作スイッチ配線器具におけるハンドル部材の後面側の構成を示す平面図である。
【符号の説明】
【００２０】
１：操作スイッチ配線器具
２：ハンドル部材
２ａ〜２ｄ：操作スイッチ
１０：プリント基板
１１ａ〜１１ｄ，２１ａ〜２１ｄ：個別スイッチ
１２：モード切替スイッチ
１３，２３ａ〜２３ｄ：アドレスデクリメントスイッチ
１４ａ〜１４ｄ：液晶表示部
２２ａ〜２２ｄ：アドレスインクリメントスイッチ
２４ａ〜２４ｄ：突起部
【図１】
2009130714.tif 000003
【図２】
2009130714.tif 000004
【図３】
2009130714.tif 000005
【図４】
2009130714.tif 000006